(57)【要約】      （修正有）【課題】正常接続を確実に判定することができる暖房装置を提供する。【解決手段】試運転として、燃焼制御部は、温液を７０°Ｃに加熱するように燃焼式熱源機を駆動し、暖房循環ポンプをオンし、タンク制御部は、分配弁をバイパスＯＦＦ状態（バイパス流路側の出口ポートが全閉、貯留タンク側の出口ポートが全開）とし、開閉弁制御部は、開閉弁を開状態にする制御を行い、さらに、低温側暖房端末機及び高温側暖房端末機を駆動停止状態とする制御を行う。タンク制御部は、上記制御を開始してからの時間が１０分経過し、温度センサ２６での検出温度が、温度センサ５４での検出温度から５°Ｃ減算した減算温度以上であり、その状態が３分継続している場合、貯留タンクユニットと燃焼式熱源機ユニットとが正常に接続されていると判定し、その旨をリモコンに表示させる。【選択図】図２
2017190906.tif 000002
【特許請求の範囲】
【請求項１】
熱媒を貯留する貯留タンクと、
前記貯留タンクの上部と下部とを連通したタンク循環路と、
前記貯留タンク内の熱媒を前記タンク循環路を介して該貯留タンクの下部から上部へと循環させるタンク循環ポンプと、
前記タンク循環路を流通する熱媒を加熱するヒートポンプと、
前記貯留タンクの上部と下部とを暖房端末を介して連通した暖房循環路と、
前記貯留タンク内の熱媒を前記暖房循環路を介して該貯留タンクの上部から下部へと循環させる暖房循環ポンプと、
前記暖房循環路を流通する熱媒を前記暖房端末の上流側で加熱する補助熱源と、
前記タンク循環路と前記暖房循環路とを接続した補助流路と、
前記補助流路の開閉を行う開閉弁と、
を備え、
正常接続状態時には、前記暖房循環路の前記補助熱源による加熱箇所よりも上流側が前記貯留タンクの上部に接続され、前記暖房循環路の前記暖房端末よりも下流側が前記貯留タンクの下部に接続された状態となる暖房装置において、
前記暖房循環路の前記補助熱源による加熱箇所よりも上流側で前記貯留タンクよりも下流側の該暖房循環路内の熱媒の温度を検出する上流側暖房循環路温度検出手段と、
前記暖房循環路の前記補助熱源による加熱箇所よりも下流側で前記補助流路に流れる該暖房循環路内の熱媒の温度を検出する下流側暖房循環路温度検出手段と、
前記開閉弁を開状態とし、前記暖房端末の駆動を停止した状態で、前記補助熱源及び前記暖房循環ポンプを駆動した際に、前記上流側暖房循環路温度検出手段による検出温度と、前記下流側暖房循環路温度検出手段による検出温度との温度差が所定範囲内である場合、前記正常接続状態であると判定し、報知する正常接続判定手段と、
を備えることを特徴とする暖房装置。
【請求項２】
請求項１に記載の暖房装置において、
前記正常接続判定手段は、前記上流側暖房循環路温度検出手段による検出温度と、前記下流側暖房循環路温度検出手段による検出温度との温度差が所定範囲内である時間が所定時間継続した場合に、前記正常接続状態であると判定し、報知することを特徴とする暖房装置。
【請求項３】
熱媒を貯留する貯留タンクと、
前記貯留タンクの上部と下部とを連通したタンク循環路と、
前記貯留タンク内の熱媒を前記タンク循環路を介して該貯留タンクの下部から上部へと循環させるタンク循環ポンプと、
前記タンク循環路を流通する熱媒を加熱するヒートポンプと、
前記貯留タンクの上部と下部とを暖房端末を介して連通した暖房循環路と、
前記貯留タンク内の熱媒を前記暖房循環路を介して該貯留タンクの上部から下部へと循環させる暖房循環ポンプと、
前記暖房循環路を流通する熱媒を前記暖房端末の上流側で加熱する補助熱源と、
前記タンク循環路と前記暖房循環路とを接続した補助流路と、
前記補助流路の開閉を行う開閉弁と、
を備え、
正常接続状態時には、前記貯留タンクの下部及び前記補助流路の下流側端部に接続された前記タンク循環路の上流部分が、前記ヒートポンプの入口側に接続され、前記貯留タンクの上部に接続された前記タンク循環路の下流部分が、前記ヒートポンプの出口側に接続された状態となる暖房装置において、
前記タンク循環路の上流部分の該タンク循環路内の熱媒の温度を検出する上流側タンク循環路温度検出手段と、
前記タンク循環路の下流部分の該タンク循環路内の熱媒の温度を検出する下流側タンク循環路温度検出手段と、
前記開閉弁を開状態とした状態で、前記補助熱源及び前記暖房循環ポンプを駆動した際に、前記上流側タンク循環路温度検出手段による検出温度が、前記下流側タンク循環路温度検出手段による検出温度よりも早く所定温度上昇した場合、前記正常接続状態であると判定し、報知する正常接続判定手段と、
を備えることを特徴とする暖房装置。
【発明の詳細な説明】
【技術分野】
【０００１】
本発明は、温水等の熱媒を用いて暖房を行う暖房装置に関する。
【背景技術】
【０００２】
温水等の熱媒を用いた暖房装置において、ヒートポンプ等の熱源機により加熱した温水を貯留タンクに貯留し、この貯留した温水を床暖房装置等の暖房端末を経由して循環させて、温水の熱を床暖房装置で放熱させることで暖房を行う構成が知られている。このような暖房装置は、ヒートポンプと貯留タンクとを配管により接続する。配管が正しく接続されていない場合には、所望の温度での暖房を行うことができなくなる。そこで、配管が正しく接続されているか否かを判定する技術が提案されている（例えば、特許文献１及び２）。
【０００３】
特許文献１に記載された暖房装置は、ヒートポンプの出口温度がヒートポンプ入口温度よりも高く、且つタンク下部温度がタンク上部温度よりも高い場合には、ヒートポンプ自体は正常に動作しているが、温水が流入するはずのタンク上部温度よりも、タンク下部温度が高くなっていることから、ヒートポンプと貯留タンクとが正しく接続されていないと判定し、接続状態の確認を指示する表示を行う。
【０００４】
特許文献２に記載された暖房装置は、循環ポンプの駆動により、貯留タンクの底部の温水をヒートポンプへ送る際に、その流路に設けられた流量センサで流量を検出し、この検出流量と沸き上げ温度に基づいて指示された指示流量との差を算出し、算出量が所定流量よりも大きい場合には、ヒートポンプと貯留タンクとが正しく接続されていないと判定する。
【先行技術文献】
【特許文献】
【０００５】
【特許文献１】特開２００７−３３３２８８号公報
【特許文献２】特開２０１１−０９９６０２号公報
【発明の概要】
【発明が解決しようとする課題】
【０００６】
ヒートポンプとは別の補助熱源を有する暖房装置では、貯留タンクと暖房端末とを連通する暖房循環路の途中に補助熱源が設けられる。このような暖房装置において、暖房循環路と貯留タンクとの正常接続を判定するために、特許文献１及び２のような接続判定を行うことが考えられる。
【０００７】
しかしながら、特許文献１では、タンク上部温度よりもタンク下部温度が高い場合に誤接続と判定しているが、誤接続されてタンク下部からタンク上部に温水が流れる際にも、温水の流量が多い場合には、温水が温度低下せずにタンク下部からタンク上部に流れることがある。この場合には、タンク上部温度とタンク下部温度とがほぼ同じになり、誤接続であっても、正常接続であると判定される。また、ヒートポンプの駆動開始時には、ヒートポンプの能力不足により、誤接続されていてもタンク上部温度とタンク下部温度とがほぼ同じになることがあり、誤接続であっても、正常接続であると判定される。
【０００８】
特許文献２では、流量センサでの検出流量と指示流量との差が、所定流量よりも大きい場合には、誤接続と判定しているが、温水の流量が多い場合には、誤接続されていても流量センサでの検出流量と指示流量との差が所定流量よりも大きくならないことがあり、誤接続であっても、正常接続であると判定される。
【０００９】
本発明は、このような事情に鑑みてなされたものであり、正常接続を確実に判定することができる暖房装置を提供することを目的とする。
【課題を解決するための手段】
【００１０】
本発明の暖房装置は、熱媒を貯留する貯留タンクと、前記貯留タンクの上部と下部とを連通したタンク循環路と、前記貯留タンク内の熱媒を前記タンク循環路を介して該貯留タンクの下部から上部へと循環させるタンク循環ポンプと、前記タンク循環路を流通する熱媒を加熱するヒートポンプと、前記貯留タンクの上部と下部とを暖房端末を介して連通した暖房循環路と、前記貯留タンク内の熱媒を前記暖房循環路を介して該貯留タンクの上部から下部へと循環させる暖房循環ポンプと、前記暖房循環路を流通する熱媒を前記暖房端末の上流側で加熱する補助熱源と、前記タンク循環路と前記暖房循環路とを接続した補助流路と、前記補助流路の開閉を行う開閉弁と、を備え、正常接続状態時には、前記暖房循環路の前記補助熱源による加熱箇所よりも上流側が前記貯留タンクの上部に接続され、前記暖房循環路の前記暖房端末よりも下流側が前記貯留タンクの下部に接続された状態となる暖房装置において、前記暖房循環路の前記補助熱源による加熱箇所よりも上流側で前記貯留タンクよりも下流側の該暖房循環路内の熱媒の温度を検出する上流側暖房循環路温度検出手段と、前記暖房循環路の前記補助熱源による加熱箇所よりも下流側で前記補助流路に流れる該暖房循環路内の熱媒の温度を検出する下流側暖房循環路温度検出手段と、前記開閉弁を開状態とし、前記暖房端末の駆動を停止した状態で、前記補助熱源及び前記暖房循環ポンプを駆動した際に、前記上流側暖房循環路温度検出手段による検出温度と、前記下流側暖房循環路温度検出手段による検出温度との温度差が所定範囲内である場合、前記正常接続状態であると判定し、報知する正常接続判定手段と、を備えることを特徴とする。
【００１１】
本発明によれば、開閉弁を開状態とし、暖房端末の駆動を停止した状態で、補助熱源及び暖房循環ポンプを駆動した際に、正常接続時であれば、補助熱源機により加熱された熱媒（例えば、７０°Ｃ）は、下流側暖房循環路温度検出手段により温度が検出され（７０°Ｃ）、その後、暖房循環路、補助流路、及びタンク循環路を通って再び暖房循環路に送られ、上流側暖房循環路温度検出手段により温度が検出される。したがって、上流側暖房循環路温度検出手段により温度が検出されるまでに放熱されて熱媒の温度が下がり（−３°Ｃ程度）、上流側暖房循環路温度検出手段での検出温度（６７°Ｃ）となる。この点に着目して、正常接続判定手段は、上流側暖房循環路温度検出手段による検出温度と、下流側暖房循環路温度検出手段による検出温度との温度差が所定範囲（例えば、５°Ｃ）内である場合、正常接続状態であると判定し、報知するので、補助熱源と貯留タンクとの正常接続を確実に判定し、報知することができる。
【００１２】
また、前記正常接続判定手段は、前記上流側暖房循環路温度検出手段による検出温度と、前記下流側暖房循環路温度検出手段による検出温度との温度差が所定範囲内である時間が所定時間継続した場合に、前記正常接続状態であると判定し、報知することが好ましい。
【００１３】
この構成によれば、正常接続判定手段は、上流側暖房循環路温度検出手段による検出温度と、下流側暖房循環路温度検出手段による検出温度との温度差が所定範囲内である時間が所定時間継続した場合に、正常接続状態であると判定するので、上流側暖房循環路温度検出手段による検出温度と、下流側暖房循環路温度検出手段による検出温度との温度差が所定範囲内である場合に直ぐに正常接続状態であると判定され、報知されることがない。このため、正常接続ではなく、突発的な環境や状況の変化等により、上流側暖房循環路温度検出手段による検出温度と、下流側暖房循環路温度検出手段による検出温度との温度差が所定範囲内である場合に、正常接続状態であると判定され、報知されることを防止することができる。
【００１４】
また、本発明の暖房装置は、熱媒を貯留する貯留タンクと、前記貯留タンクの上部と下部とを連通したタンク循環路と、前記貯留タンク内の熱媒を前記タンク循環路を介して該貯留タンクの下部から上部へと循環させるタンク循環ポンプと、前記タンク循環路を流通する熱媒を加熱するヒートポンプと、前記貯留タンクの上部と下部とを暖房端末を介して連通した暖房循環路と、前記貯留タンク内の熱媒を前記暖房循環路を介して該貯留タンクの上部から下部へと循環させる暖房循環ポンプと、前記暖房循環路を流通する熱媒を前記暖房端末の上流側で加熱する補助熱源と、前記タンク循環路と前記暖房循環路とを接続した補助流路と、前記補助流路の開閉を行う開閉弁と、を備え、正常接続状態時には、前記貯留タンクの下部及び前記補助流路の下流側端部に接続された前記タンク循環路の上流部分が、前記ヒートポンプの入口側に接続され、前記貯留タンクの上部に接続された前記タンク循環路の下流部分が、前記ヒートポンプの出口側に接続された状態となる暖房装置において、前記タンク循環路の上流部分の該タンク循環路内の熱媒の温度を検出する上流側タンク循環路温度検出手段と、前記タンク循環路の下流部分の該タンク循環路内の熱媒の温度を検出する下流側タンク循環路温度検出手段と、前記開閉弁を開状態とした状態で、前記補助熱源及び前記暖房循環ポンプを駆動した際に、前記上流側タンク循環路温度検出手段による検出温度が、前記下流側タンク循環路温度検出手段による検出温度よりも早く所定温度上昇した場合、前記正常接続状態であると判定し、報知する正常接続判定手段と、を備えることを特徴とする。
【００１５】
本発明によれば、開閉弁を開状態とした状態で、補助熱源及び暖房循環ポンプを駆動した際に、正常接続時であれば、補助熱源機により加熱された熱媒（例えば、７０°Ｃ）は、上流側タンク循環路温度検出手段により温度が検出された後、下流側タンク循環路温度検出手段により温度が検出される。この点に着目して、上流側タンク循環路温度検出手段による検出温度が、下流側タンク循環路温度検出手段による検出温度よりも早く所定温度上昇した場合、正常接続状態であると判定し、報知するので、ヒートポンプと貯留タンクとの正常接続を確実に判定し、報知することができる。
【図面の簡単な説明】
【００１６】
【図１】本実施形態の暖房装置のシステム構成図。
【図２】貯留タンクと燃焼式熱源機ユニットとの接続状態を判定する処理の流れを示すフローチャート。
【図３】貯留タンクと燃焼式熱源機ユニットとが誤接続された状態の暖房装置のシステム構成図。
【図４】貯留タンクとヒートポンプとの接続状態を判定する処理の流れを示すフローチャート。
【図５】貯留タンクとヒートポンプとが誤接続された状態の暖房装置のシステム構成図。
【発明を実施するための形態】
【００１７】
［第１実施形態］
図１に示すように、本実施形態の暖房装置１は、暖房用の熱媒としての温かい不凍液（以下、温液と称する）を貯留する貯留タンク１１が搭載された貯留タンクユニット２と、温液加熱用のヒートポンプ３１が搭載されたヒートポンプユニット３と、温液加熱用の補助熱源機としての燃焼式熱源機４１が搭載された燃焼式熱源機ユニット４と、１つ以上の暖房端末機を含む暖房端末ユニット５とを備える。
【００１８】
貯留タンク１１には、貯留タンク１１内の温液を外部のヒートポンプ３１の凝縮機３５（詳細は後述する）を経由して循環させるための蓄熱用温液循環往路１２ａ及び蓄熱用温液循環復路１２ｂと、貯留タンク１１内の温液を燃焼式熱源機ユニット４及び暖房端末ユニット５を経由して循環させるための上流側暖房用温液循環往路１３ａ及び下流側暖房用温液循環復路１３ｄとが接続されている。
【００１９】
上流側暖房用温液循環往路１３ａには、下流側暖房用温液循環往路１３ｂが接続され、下流側暖房用温液循環復路１３ｄには、上流側暖房用温液循環復路１３ｃが接続されている。これらの接続は、暖房装置１の設置後に設置業者による手作業で行われる。
【００２０】
また、貯留タンク１１には、その高さ方向（上下方向）に間隔を存する複数（図示例では３つ）の高さ位置に、各高さ位置での貯留タンク１１内の温液の温度を検出する温度センサ１４ａ，１４ｂ，１４ｃ（タンク温度検出手段）が装着されている。
【００２１】
蓄熱用温液循環往路１２ａは、貯留タンク１１からヒートポンプ３１の凝縮機３５に温液を送る。蓄熱用温液循環復路１２ｂは、後述する凝縮機３５から貯留タンク１１に温液を環流させる。
【００２２】
蓄熱用温液循環往路１２ａは、その上流端が貯留タンク１１の下部に接続され、下流端が凝縮機３５に接続されている。そして、蓄熱用温液循環往路１２ａには、逆止弁１５と、貯留タンク１１から流出する温液の温度を蓄熱用温液循環往路１２ａの上流部で検出する温度センサ１６と、手動式の開閉弁１７と、蓄熱用温液循環往路１２ａの上流側から下流側に向う温液の流れを発生させる蓄熱用循環ポンプ１８と、ヒートポンプ３１の凝縮機３５に流入する温液の温度を蓄熱用温液循環往路１２ａの下流部で検出する温度センサ１９とが装着されている。
【００２３】
この場合、本実施形態の例では、逆止弁１５及び温度センサ１６は貯留タンクユニット２内に配置され、蓄熱用循環ポンプ１８及び温度センサ１９はヒートポンプユニット３内に配置され、開閉弁１７は貯留タンクユニット２とヒートポンプユニット３との間に配置されている。
【００２４】
蓄熱用温液循環復路１２ｂは、その上流端がヒートポンプ３１の凝縮機３５に接続され、下流端が貯留タンク１１の上部に接続されている。そして、蓄熱用温液循環復路１２ｂには、凝縮機３５から流出する温液の温度を蓄熱用温液循環復路１２ｂの上流部で検出する温度センサ２０と、手動式の開閉弁２１と、貯留タンク１１に流入する温液の温度を蓄熱用温液循環復路１２ｂの下流部で検出する温度センサ２２とが装着されている。
【００２５】
この場合、本実施形態の例では、温度センサ２０はヒートポンプユニット３内に配置され、温度センサ２２は貯留タンクユニット２内に配置され、開閉弁２１は貯留タンクユニット２とヒートポンプユニット３との間に配置されている。
【００２６】
上流側暖房用温液循環往路１３ａ及び下流側暖房用温液循環往路１３ｂは、貯留タンク１１から暖房端末ユニット５に温液を送る。上流側暖房用温液循環復路１３ｃ及び下流側暖房用温液循環復路１３ｄは、暖房端末ユニット５から貯留タンク１１に温液を環流させる。
【００２７】
上流側暖房用温液循環往路１３ａは、燃焼式熱源機４１による加熱箇所よりも上流側の循環路であり、その上流端が前記蓄熱用温液循環復路１２ｂの下流端部に合流されている。従って、上流側暖房用温液循環往路１３ａの上流端は、蓄熱用温液循環復路１２ｂの下流端部を介して貯留タンク１１の上部に接続されている。
【００２８】
下流側暖房用温液循環復路１３ｄは、その下流端が貯留タンク１１の下部に接続されている。また、下流側暖房用温液循環復路１３ｄの下流部には、貯留タンクユニット２内に設置された分配弁２３が装着されている。
【００２９】
さらに、下流側暖房用温液循環復路１３ｄの下流部と、上流側暖房用温液循環往路１３ａの上流部とを、貯留タンク１１内を経由させずに、分配弁２３を介して連通させるバイパス流路２４が設けられている。
【００３０】
分配弁２３は、本実施形態では、２つの出口ポートを有しており、入口ポートから流入した温液のうち、２つの出口ポートの一方の出口ポートから流出させる温液の流量と、他方の出口ポートから流出させる温液の流量との割合を可変的に制御可能な弁である。
【００３１】
そして、分配弁２３は、その入口ポートが下流側暖房用温液循環復路１３ｄの上流側に連通し、一方の出口ポートが下流側暖房用温液循環復路１３ｄの下流側に連通するように、該下流側暖房用温液循環復路１３ｄに介装されると共に、他方の出口ポートが、バイパス流路２４を介して上流側暖房用温液循環往路１３ａに連通するように該バイパス流路２４に接続されている。
【００３２】
従って、貯留タンクユニット２に設けられた、後述するタンク制御部７２により分配弁２３を制御することで、上流側暖房用温液循環復路１３ｃ及び下流側暖房用温液循環復路１３ｄで貯留タンクユニット２に戻ってきた温液の一部又は全部を、分配弁２３から貯留タンク１１を経由させずに（バイパス流路２４を経由させて）、上流側暖房用温液循環往路１３ａに環流させることが可能となっている。
【００３３】
なお、分配弁２３は、バイパス流路２４と上流側暖房用温液循環往路１３ａとの接続箇所に介装されていてもよい。
【００３４】
以降の説明では、分配弁２３の入口ポートに流入する温液の全部が、下流側暖房用温液循環復路１３ｄの下流側に連通する一方の出口ポートから流出する動作状態（バイパス流路２４側の出口ポートが全閉、貯留タンク１１側の出口ポートが全開になる動作状態）を、分配弁２３のバイパスＯＦＦ状態、分配弁２３の入口ポートに流入する温液の全部が、バイパス流路２４に連通する他方の出口ポートから流出する動作状態（バイパス流路２４側の出口ポートが全開、貯留タンク１１側の出口ポートが全閉になる動作状態）を分配弁２３のバイパスＯＮ状態、分配弁２３の入口ポートに流入する温液の一部が両方の出口ポートのそれぞれから流出する状態を分配弁２３のバイパス中間状態という。
【００３５】
また、上流側暖房用温液循環往路１３ａには、貯留タンクユニット２内で２つの温度センサ２５，２６（暖房循環路温度検出手段）が装着され、下流側暖房用温液循環復路１３ｄには、貯留タンクユニット２内で１つの温度センサ２７が装着されている。
【００３６】
温度センサ２５は、貯留タンク１１（又は蓄熱用温液循環復路１２ｂ）から上流側暖房用温液循環往路１３ａに流入する温液の温度を検出するセンサであり、上流側暖房用温液循環往路１３ａのうち、バイパス流路２４の合流箇所よりも上流側の部分に装着されている。
【００３７】
温度センサ２６は、貯留タンクユニット２から暖房端末ユニット５側に送出される温液の温度を検出するセンサであり、上流側暖房用温液循環往路１３ａのうち、バイパス流路２４の合流箇所よりも下流側の部分に装着されている。この温度センサ２６の検出温度は、分配弁２３のバイパスＯＦＦ状態では、温度センサ２５の検出温度に一致もしくはほぼ一致する。
【００３８】
一方、分配弁２３のバイパスＯＮ状態又はバイパス中間状態では、温度センサ２６の検出温度は、貯留タンク１１（又は蓄熱用温液循環復路１２ｂ）から上流側暖房用温液循環往路１３ａに流入する温液に、貯留タンクユニット２に暖房端末ユニット５側から戻ってきた温液の全部又は一部を混合させた後の温液の温度（温度センサ２５の検出温度よりも低い温度）となる。
【００３９】
下流側暖房用温液循環復路１３ｄに装着された温度センサ２７は、貯留タンクユニット２に暖房端末ユニット５側から戻ってきた温液の温度を検出するセンサであり、下流側暖房用温液循環復路１３ｄのうち、分配弁２３の上流側の部分に装着されている。
【００４０】
ヒートポンプユニット３は、屋外に設置されるユニットである。このヒートポンプユニット３に搭載されたヒートポンプ３１は、貯留タンクユニット２の貯留タンク１１内の温液を加熱するための熱源機である。
【００４１】
ヒートポンプ３１は、公知の構造のものであり、ハイドロフルオロカーボン（ＨＦＣ）等の代替フロン、あるいは、二酸化炭素等の冷媒を循環させる冷媒循環流路３２と、この冷媒循環流路３２に装着された蒸発器３３、圧縮機３４、凝縮機３５、及び膨張機構３６と、蒸発器３３に外気（空気）を供給する回転ファン３７とを有する。
【００４２】
蒸発器３３は、冷媒循環流路３２を流れる冷媒と、回転ファン３７の回転により供給される外気（空気）との熱交換を行なう。
【００４３】
圧縮機３４は、蒸発器３３から供給される冷媒を圧縮することで、高温・高圧の冷媒を生成する。
【００４４】
凝縮機３５には、前記したように蓄熱用温液循環往路１２ａの下流端と蓄熱用温液循環復路１２ｂの上流端とが接続されている。
【００４５】
そして、凝縮機３５は、圧縮機３４から供給される高温・高圧の冷媒と、蓄熱用循環ポンプ１８の作動によって蓄熱用温液循環往路１２ａを介して貯留タンク１１から供給される温液との熱交換を行なうことで、該温液を加熱し、加熱した温液を蓄熱用温液循環復路１２ｂを介して貯留タンク１１に環流させる。
【００４６】
膨張機構３６は、膨張弁等により構成され、凝縮機３５から供給される放熱後の冷媒を断熱膨張させることでさらに冷却し、その冷却後の冷媒を蒸発器３３に送出する。
【００４７】
以上の蒸発器３３、圧縮機３４、凝縮機３５、及び膨張機構３６の作動により、凝縮機３５に貯留タンク１１から供給される温液が熱交換されて加熱され、その加熱後の温液が貯留タンク１１に戻される。これにより、貯留タンク１１内の温液が加熱されて、該温液の蓄熱がなされる。
【００４８】
暖房端末ユニット５は、本実施形態では、運転に必要な温液温度が比較的高い高温側暖房端末機５Ｈと、運転に必要な温液温度が高温側暖房端末機５Ｈよりも低い低温側暖房端末機５Ｌとを備える。
【００４９】
高温側暖房端末機５Ｈは、例えば浴室暖房装置等であり、該高温側暖房端末機５Ｈで要求される温液温度は、例えば８０°Ｃ程度である。また、低温側暖房端末機５Ｌは、例えば床暖房装置等であり、該低温側暖房端末機５Ｌで要求される温液温度は、例えば６０°Ｃ程度である。
【００５０】
これらの高温側暖房端末機５Ｈ及び低温側暖房端末機５Ｌは、燃焼式熱源機ユニット４から温液が供給されるように、それぞれ、後述する温液流路４２Ｈ，４２Ｌに接続されている。さらに、高温側暖房端末機５Ｈ及び低温側暖房端末機５Ｌは、それぞれで放熱した温液を、貯留タンクユニット２に環流させるように、前記上流側暖房用温液循環復路１３ｃの上流端に並列に接続されている。
【００５１】
なお、高温側暖房端末機５Ｈ及び低温側暖房端末機５Ｌのそれぞれの運転停止状態では、燃焼式熱源機ユニット４からの温液の流入が図示しない弁により遮断されるようになっている。
【００５２】
図１では、高温側暖房端末機５Ｈと低温側暖房端末機５Ｌとを、それぞれ１つずつ代表的に記載したが、高温側暖房端末機５Ｈと低温側暖房端末機５Ｌとのうちの一方だけが、暖房装置１に備えられていてもよい。
【００５３】
また、高温側暖房端末機５Ｈ又は低温側暖房端末機５Ｌが、暖房装置１に複数台備えられていてもよい。複数台の高温側暖房端末機５Ｈは、上流側の後述する温液流路４２Ｈに並列に接続される。同様に、複数台の低温側暖房端末機５Ｌは、上流側の後述する低温側暖房用温液流路４２Ｌに並列に接続される。
【００５４】
燃焼式熱源機ユニット４は、燃焼式熱源機４１と、上流側暖房用温液循環往路１３ａ及び下流側暖房用温液循環往路１３ｂで送られてきた温液を必要に応じて燃焼式熱源機４１により加熱して、暖房端末ユニット５に供給するための流路であり、下流側暖房用温液循環往路１３ｂの下流側に連続する暖房用温液流路４２とを備える。本実施形態では、上流側暖房用温液循環往路１３ａ、下流側暖房用温液循環往路１３ｂ、上流側暖房用温液循環復路１３ｃ及び下流側暖房用温液循環復路１３ｄと、暖房用温液流路４２とにより、本発明の暖房循環路が構成される。
【００５５】
燃焼式熱源機４１は、燃料を燃焼させるバーナ４４と、バーナ４４の燃焼運転によって発生する熱により温液を加熱する主熱交換器４５及び補助熱交換器４６とを備える。
【００５６】
バーナ４４で燃焼させる燃料は、例えば都市ガス、ＬＰガス等の燃料ガスである。バーナ４４の燃焼運転時には、図示を省略する電磁開閉弁や比例弁等を備える燃料供給機構を介して燃料ガスがバーナ４４に供給される。また、燃焼用空気が図示しないファンによりバーナ４４に供給される。そして、バーナ４４に供給された燃料ガスに、図示しないイグナイタ等の点火器により点火することで、バーナ４４の燃焼運転が行われる。
【００５７】
なお、バーナ４４の燃焼運転に係わる燃料供給機構等の構成は、公知のものでよい。また、バーナ４４は、燃料ガスに限らず、灯油等の液体燃料を燃焼させるものであってもよい。
【００５８】
主熱交換器４５は、バーナ４４の燃焼排気から顕熱を吸熱し、その顕熱により温液を加熱する顕熱吸熱型の熱交換器である。また、補助熱交換器４６は、主熱交換器４５を通過した燃焼排気中の水蒸気が凝縮する際の潜熱を吸熱し、その潜熱により温液を加熱する潜熱吸熱型の補助的な熱交換器である。
【００５９】
なお、燃焼式熱源機４１は、主熱交換器４５及び補助熱交換器４６のうちの主熱交換器４５だけを備えるものであってもよい。
【００６０】
暖房用温液流路４２は、その上流端が下流側暖房用温液循環往路１３ｂの下流端に連通され、該下流側暖房用温液循環往路１３ｂを流れてきた温液が流入するようになっている。
【００６１】
なお、暖房用温液流路４２の上流端は、高温の温液の体積増加分を吸収する膨張タンク（図示せず）にも接続されている。
【００６２】
暖房用温液流路４２は、燃焼式熱源機ユニット４内で、燃焼式熱源機４１の補助熱交換器４６を経由するように構成され、さらに、該補助熱交換器４６の下流側で、高温側暖房用温液流路４２Ｈと、低温側暖房用温液流路４２Ｌとに分流されている。
【００６３】
高温側暖房用温液流路４２Ｈは、暖房端末ユニット５の高温側暖房端末機５Ｈに温液を供給するための温液流路である。この高温側暖房用温液流路４２Ｈは、燃焼式熱源機４１の主熱交換器４５を経由するように流路され、その下流端に高温側暖房端末機５Ｈが接続される。また、高温側暖房用温液流路４２Ｈは、主熱交換器４５よりも下流側の部分に、暖房用温液流路４２の後述する暖房循環ポンプ５１よりも上流側の部分に接続するバイパス流路４２Ｂが設けられている。
【００６４】
低温側暖房用温液流路４２Ｌは、暖房端末ユニット５の低温側暖房端末機５Ｌに温液を供給するための温液流路である。この低温側暖房用温液流路４２Ｌは、その下流端に低温側暖房端末機５Ｌが接続される。
【００６５】
暖房用温液流路４２には、暖房用温液流路４２の上流側から下流側に向う温液の流れを発生させる暖房循環ポンプ５１が、暖房用温液流路４２の高温側暖房用温液流路４２Ｈ及び低温側暖房用温液流路４２Ｌへの分流箇所よりも上流側に装着されている。
【００６６】
また、高温側暖房用温液流路４２Ｈには、その上流側の基幹の暖房用温液流路４２から該高温側暖房用温液流路４２Ｈに流入する温液の温度を検出する温度センサ５４と、主熱交換器４５から流出する温液の温度を検出する温度センサ５５とが装着されている。
【００６７】
本実施形態の例では、温度センサ５４は、高温側暖房用温液流路４２Ｈの上流端近傍の位置に配置され、温度センサ５５は、主熱交換器４５の近くで該主熱交換器４５の下流側に配置されている。
【００６８】
なお、温度センサ５４が検出する温度は、換言すれば、低温側暖房端末機５Ｌに供給される温液の温度であり、温度センサ５５が検出する温度は、換言すれば、高温側暖房端末機５Ｈに供給される温液の温度である。
【００６９】
低温側暖房用温液流路４２Ｌには、凍結防止用流路６１の上流側の端部が接続されている。この凍結防止用流路６１は、ヒートポンプ３１の凍結を防止するために、ヒートポンプ３１に温液を送るためのものであり、下流側の端部は蓄熱用温液循環往路１２ａに接続されている。
【００７０】
凍結防止用流路６１には、開閉弁６２が装着されている。この開閉弁６２は、開閉弁制御部６３により制御される。開閉弁制御部６３は、通常時には開閉弁６２を閉状態に制御し、運転停止中のヒートポンプ３１の凍結防止制御を行う場合には、開閉弁６２を開状態に制御する。開閉弁６２が開状態に制御されると、低温側暖房用温液流路４２Ｌを流下する温液が、凍結防止用流路６１及び蓄熱用温液循環往路１２ａを介してヒートポンプ３１に送られる。この温液の流通により、ヒートポンプ３１の凍結が防止される。このような凍結防止制御は、ヒートポンプ３１への電力供給が停止され、ヒートポンプ３１の運転が停止された場合等に行われる。
【００７１】
本実施形態の暖房装置１では、貯留タンクユニット２にはタンク制御部７２が、ヒートポンプユニット３にはポンプ制御部７３が、燃焼式熱源機ユニット４には燃焼制御部７４が、それぞれが搭載されている。
【００７２】
各制御部７２〜７４は、詳細な図示は省略するが、制御回路部と、電源回路部とを含んでいる。それぞれの制御回路部は、ＣＰＵ、ＲＡＭ、ＲＯＭ等により構成される回路部であり、相互に通信可能とされている。
【００７３】
そして、貯留タンクユニット２のタンク制御部７２の制御回路部は、貯留タンクユニット２に備えられた温度センサ１４ａ，１４ｂ，１４ｃ，１６，２２，２５，２６，２７の検出データ、あるいは、ヒートポンプユニット３もしくは燃焼式熱源機ユニット４の制御回路部から与えられた通信データ等に基づいて、プログラム処理を実行することで、分配弁２３の作動を制御する。
【００７４】
また、ヒートポンプユニット３のポンプ制御部７３の制御回路部は、ヒートポンプユニット３に備えられた温度センサ１９，２０の検出データ、あるいは、貯留タンクユニット２もしくは燃焼式熱源機ユニット４の制御回路部から与えられた通信データ等に基づいて、プログラム処理を実行することで、蓄熱用循環ポンプ１８、回転ファン３７、圧縮機３４等の作動を制御する。
【００７５】
また、ヒートポンプユニット３には、外気温を検出する外気温センサ（図示せず）が設けられ、この外気温センサで検出された外気温データは、ポンプ制御部７３の制御回路部に送られる。
【００７６】
燃焼式熱源機ユニット４の燃焼制御部７４の制御回路部は、燃焼式熱源機ユニット４に備えられた温度センサ５４，５５の検出データ、あるいは、図示しないリモコンから与えられる指示データ（暖房運転を行うための指示データ）、あるいは、貯留タンクユニット２もしくはヒートポンプユニット３の制御回路部から与えられた通信データ等に基づいて、プログラム処理を実行することで、燃焼式熱源機４１や暖房循環ポンプ５１等の作動を制御する。
【００７７】
なお、各制御部７２〜７４の制御回路部は、１つの回路基板により構成されていてもよい。
【００７８】
各制御部７２〜７４の電源回路部は、それぞれ、貯留タンクユニット２の各アクチュエータ（分配弁２３等）、ヒートポンプユニット３の各電子機器（蓄熱用循環ポンプ１８、圧縮機３４、回転ファン３７等）、燃焼式熱源機ユニット４の各アクチュエータ（暖房循環ポンプ５１等）に電力を供給する回路部である。
【００７９】
この場合、本実施形態の暖房装置１では、貯留タンクユニット２のタンク制御部７２の電源回路部と、ヒートポンプユニット３のポンプ制御部７３の電源回路部とに、運転用の電源電力として、融雪電力が供給されるようになっている。
【００８０】
また、本実施形態では、貯留タンクユニット２のタンク制御部７２の電源回路部に供給される融雪電力の一部は、貯留タンクユニット２の分配弁２３等の電装品の動作用の電源電力として利用される。
【００８１】
また、燃焼式熱源機ユニット４の燃焼制御部７４の電源回路部には、通常の家庭用電力又は商用電力（以下、通常電力と称する）が供給される。
【００８２】
次に、本実施形態の暖房装置１の作動を説明する。
【００８３】
貯留タンクユニット２のタンク制御部７２及びヒートポンプユニット３のポンプ制御部７３に融雪電力が供給されている状態で、ポンプ制御部７３の制御回路部の制御処理によって、蓄熱用循環ポンプ１８及びヒートポンプ３１の運転が行われる。
【００８４】
これにより、貯留タンク１１内の温液が蓄熱用温液循環往路１２ａ及び蓄熱用温液循環復路１２ｂで凝縮機３５を経由して循環しつつ所定の温度（例えば８０°Ｃ程度）に加熱され、貯留タンク１１内の温液の蓄熱が行なわれる。
【００８５】
一方、リモコンによって高温側暖房端末機５Ｈ又は低温側暖房端末機５Ｌの暖房運転を行なうことが指示された場合には、貯留タンクユニット２のタンク制御部７２及び燃焼式熱源機ユニット４の燃焼制御部７４の一方の制御回路部の制御処理、又は両方の制御回路部の協働の制御処理によって、暖房運転が行われる。燃焼制御部７４の制御回路部は、燃焼式熱源機４１や暖房循環ポンプ５１を作動させている場合には、その旨を示す燃焼作動データを、開閉弁制御部６３に送信する。
【００８６】
ヒートポンプ３１が運転可能である場合の暖房運転は、具体的には、次のように行なわれる。
【００８７】
まず、暖房端末ユニット５に供給すべき温液（暖房用媒体）の目標温度である暖房設定温度が設定される。本実施形態では、暖房運転を行うことが指示されている暖房端末機５Ｈ，５Ｌの中で暖房要求温度（暖房運転のために必要な温液の温度）が最も高い暖房端末機の暖房要求温度が暖房設定温度として設定される。
【００８８】
従って、例えば暖房要求温度が８０°Ｃである浴室暖房装置等の高温側暖房端末機５Ｈと、暖房要求温度が６０°Ｃである床暖房装置等の低温側暖房端末機５Ｌとの両方の暖房運転を行なうことが指示されている場合、あるいは、高温側暖房端末機５Ｈだけの暖房運転を行うことが指示されている場合には、暖房設定温度は、８０°Ｃに設定される。
【００８９】
また、例えば、低温側暖房端末機５Ｌだけの暖房運転を行うことが指示されている場合には、暖房設定温度は、６０°Ｃに設定される。
【００９０】
なお、暖房端末機５Ｈ，５Ｌの運転の優先順位が、別途、ユーザ等により指定されているような場合には、最優先の暖房端末機の暖房要求温度を、暖房設定温度として設定するようにしてもよい。その場合、高温側暖房端末機５Ｈと低温側暖房端末機５Ｌとの両方の暖房運転を行なうことが指示されている場合であっても、低温側暖房端末機５Ｌ用の暖房要求温度（６０°Ｃ）を暖房設定温度として設定するようにしてもよい。
【００９１】
このように暖房設定温度を設定した状態で、燃焼式熱源機ユニット４の暖房循環ポンプ５１が作動され、各暖房用温液循環往路１３ａ，１３ｂ及び各暖房用温液循環復路１３ｃ，１３ｄでの温液の流通が行なわれる。また、分配弁２３はバイパスＯＦＦ状態又はバイパス中間状態に維持される。
【００９２】
貯留タンクユニット２から燃焼式熱源機ユニット４に供給される温液は、下流側暖房用温液循環往路１３ｂから燃焼式熱源機ユニット４の基幹の暖房用温液流路４２に流入する。そして、高温側暖房端末機５Ｈの運転時には、基幹の暖房用温液流路４２から高温側暖房用温液流路４２Ｈを経由して、高温側暖房端末機５Ｈに温液が供給される。また、低温側暖房端末機５Ｌの運転時には、基幹の暖房用温液流路４２から低温側暖房用温液流路４２Ｌを経由して、低温側暖房端末機５Ｌに温液が供給される。
【００９３】
なお、高温側暖房端末機５Ｈ及び低温側暖房端末機５Ｌの両方の運転時には、基幹の暖房用温液流路４２から高温側暖房用温液流路４２Ｈ及び低温側暖房用温液流路４２Ｌをそれぞれ経由して、高温側暖房端末機５Ｈ及び低温側暖房端末機５Ｌの両方に温液が供給される。
【００９４】
このとき、燃焼式熱源機ユニット４においては、暖房用温液流路４２から暖房端末ユニット５側に供給される温液の温度（温度センサ５４，５５の検出温度）が、暖房設定温度に既定の許容範囲内でほぼ一致する場合には、燃焼式熱源機４１は、運転停止状態（バーナ４４の燃焼運転を行なわない状態）に維持される。
【００９５】
一方、暖房用温液流路４２から暖房端末ユニット５側に供給される温液の温度（温度センサ５４，５５の検出温度）が、既定の許容範囲を逸脱して暖房設定温度よりも低い場合には、高温側暖房用温液流路４２Ｈで高温側暖房端末機５Ｈに供給される温液の温度（温度センサ５５の検出温度）又は低温側暖房用温液流路４２Ｌで低温側暖房端末機５Ｌに供給される温液の温度（温度センサ５４の検出温度）が、既定の許容範囲内で暖房設定温度にほぼ一致するように、燃焼式熱源機４１のバーナ４４の燃焼運転が行われる。
【００９６】
この場合、高温側暖房端末機５Ｈだけの暖房運転時、又は高温側暖房端末機５Ｈと低温側暖房端末機５Ｌとの両方の運転時には、温度センサ５５の検出温度が、既定の許容範囲内で暖房設定温度にほぼ一致するようにバーナ４４の燃焼量が制御される。また、低温側暖房端末機５Ｌだけの暖房運転時には、温度センサ５４の検出温度が、既定の許容範囲内で暖房設定温度にほぼ一致するようにバーナ４４の燃焼量が制御される。
【００９７】
以上のようにして、貯留タンクユニット２側から供給される温液をバーナ４４の燃焼運転によって加熱せずとも、暖房設定温度に一致もしくはほぼ一致する温液を暖房運転を行なう暖房端末機５Ｈ，５Ｌに供給できる状況では、貯留タンクユニット２側から供給される温液がそのまま、暖房端末機５Ｈ，５Ｌのうちの暖房運転を行う暖房端末機に供給される。
【００９８】
また、貯留タンクユニット２側から供給される温液の温度が、暖房設定温度に対して既定の許容範囲よりも低い場合には、燃焼式熱源機４１のバーナ４４の燃焼運転によって、不足分の熱量が当該温液に付加される。そして、このように不足分の熱量が付加されて暖房設定温度に一致もしくはほぼ一致する温度に昇温された温液が、暖房端末機５Ｈ，５Ｌのうちの暖房運転を行う暖房端末機に供給される。
【００９９】
そして、このように暖房端末機５Ｈ，５Ｌの一方又は両方に供給された温液は、該暖房端末機５Ｈ，５Ｌから、各暖房用温液循環復路１３ｃ，１３ｄ及びバイパス流路２４又は貯留タンク１１を介して、上流側暖房用温液循環往路１３ａに環流される。
【０１００】
以上が、ヒートポンプ３１が運転可能である場合の暖房運転の作動である。
【０１０１】
次に、ヒートポンプ３１が運転不能である状態（融雪電力の供給停止期間）での暖房運転は、次のように行なわれる。
【０１０２】
まず、暖房設定温度が、ヒートポンプ３１が運転可能である場合の暖房運転の場合と同様に設定される。
【０１０３】
また、分配弁２３が前記バイパスＯＮ状態（分配弁２３のバイパス流路２４側の出口ポートを全開、貯留タンク１１側の出口ポートを全閉にした状態）に維持される。すなわち、下流側暖房用温液循環復路１３ｄを介して貯留タンクユニット２に戻ってくる温液の全量が、貯留タンク１１を経由することなく、分配弁２３からバイパス流路２４を通って上流側暖房用温液循環往路１３ａに環流するように分配弁２３が制御される。
【０１０４】
ここで、本実施形態では、分配弁２３の動作用の電源電力として融雪電力を使用するので、融雪電力の提供が中断した状態では、分配弁２３を作動させることができなくなる。しかるに、本実施形態では、融雪電力の供給停止によってヒートポンプ３１の運転を行なうことができなくなる場合にあっては、その供給停止が実際に開始する時刻の前に、融雪電力の提供が行なわれている状態で、分配弁２３をバイパスＯＮ状態に制御する。
【０１０５】
なお、分配弁２３がバイパスＯＮ状態に制御された後は、融雪電力の提供が中断しても、分配弁２３は、バイパスＯＮ状態に維持される。
【０１０６】
上記のように分配弁２３をバイパスＯＮ状態に制御した状態で、暖房循環ポンプ５１が作動され、上流側暖房用温液循環往路１３ａ、下流側暖房用温液循環往路１３ｂ、上流側暖房用温液循環復路１３ｃ及び下流側暖房用温液循環復路１３ｄ（バイパス流路２４よりも貯留タンク１１側の流路を除く）とバイパス流路２４での温液の流通が行なわれる。
【０１０７】
そして、上流側暖房用温液循環往路１３ａ及び下流側暖房用温液循環往路１３ｂで燃焼式熱源機ユニット４に供給される温液は、ヒートポンプ３１が運転可能である場合の暖房運転と同様に、下流側暖房用温液循環往路１３ｂから燃焼式熱源機ユニット４の基幹の暖房用温液流路４２に流入し、さらに、高温側暖房用温液流路４２Ｈ及び低温側暖房用温液流路４２Ｌの一方又は両方を経由して、暖房端末機５Ｈ，５Ｌの一方又は両方に供給される。
【０１０８】
このとき、燃焼式熱源機ユニット４においては、高温側暖房用温液流路４２Ｈで高温側暖房端末機５Ｈに供給される温液の温度（温度センサ５５の検出温度）又は低温側暖房用温液流路４２Ｌで低温側暖房端末機５Ｌに供給される温液の温度（温度センサ５４の検出温度）が、既定の許容範囲内で暖房設定温度にほぼ一致するように、燃焼式熱源機４１のバーナ４４の燃焼運転が行われる。
【０１０９】
この場合、高温側暖房端末機５Ｈだけの暖房運転時、又は高温側暖房端末機５Ｈと低温側暖房端末機５Ｌとの両方の運転時には、温度センサ５５の検出温度が、既定の許容範囲内で暖房設定温度にほぼ一致するようにバーナ４４の燃焼量が制御される。また、低温側暖房端末機５Ｌだけの暖房運転時には、温度センサ５４の検出温度が、既定の許容範囲内で暖房設定温度にほぼ一致するようにバーナ４４の燃焼量が制御される。
【０１１０】
このように、ヒートポンプ３１が運転不能である状態（融雪電力の供給停止期間）での暖房運転では、分配弁２３をバイパスＯＮ状態に制御した状態で、暖房端末ユニット５に供給される温液の温調制御が燃焼式熱源機４１のバーナ４４の燃焼運転の制御により行われる。
【０１１１】
以上が、ヒートポンプ３１が運転不能である状態（融雪電力の供給停止期間）での暖房運転の作動である。
【０１１２】
ヒートポンプ３１が運転不能である状態では、貯留タンク１１内の温液をヒートポンプ３１により適切に加熱することができないので、該貯留タンク１１内の温液が、自然放熱等によって、やがて暖房設定温度よりも低い温度に低下してしまう。
【０１１３】
このような状況で、仮に、暖房運転のための温液を貯留タンク１１を経由させて循環させると、暖房端末ユニット５から貯留タンクユニット２に戻って来る温液が、貯留タンク１１での冷えた温液との熱交換によって無駄に放熱することとなって、該温液の熱損失が増加してしまう。
【０１１４】
しかるに、本実施形態では、貯留タンク１１内の温液が冷えた状況では、暖房端末ユニット５から貯留タンクユニット２に戻って来る温液が、貯留タンク１１を経由することなく、バイパス流路２４を経由して流れた後、燃焼式熱源機ユニット４側に供給される。
【０１１５】
このため、燃焼式熱源機ユニット４及び暖房端末ユニット５を経由して循環する温液が貯留タンクユニット２で放熱することを最小限に留めて、該貯留タンクユニット２での温液の熱損失を低減できる。ひいては、燃焼式熱源機ユニット４のバーナ４４の燃焼量を抑制することができる。
【０１１６】
暖房装置１では、設置作業後に、貯留タンクユニット２と燃焼式熱源機ユニット４とが正常に接続されているか否かを判定する正常接続判定を行う。
【０１１７】
図２に示すように、正常接続判定では、先ず試運転を行う（ＳＴＥＰ１）。この試運転では、暖房設定温度は例えば７０°Ｃに設定され、燃焼制御部７４は、温液を７０°Ｃに加熱するように燃焼式熱源機４１を駆動し、暖房循環ポンプ５１をオンし、タンク制御部７２は、分配弁２３をバイパスＯＦＦ状態（バイパス流路２４側の出口ポートが全閉、貯留タンク１１側の出口ポートが全開）とする制御を行う。また、開閉弁制御部６３は、開閉弁６２を開状態にする制御を行い、さらに、低温側暖房端末機５Ｌ及び高温側暖房端末機５Ｈを駆動停止状態とする制御を行う。
【０１１８】
上記試運転により、燃焼式熱源機４１により７０°に加熱された温液が、高温側暖房用温液流路４２Ｈ、バイパス流路４２Ｂ、暖房用温液流路４２、低温側暖房用温液流路４２Ｌ、凍結防止用流路６１、蓄熱用温液循環往路１２ａ、凝縮機３５、蓄熱用温液循環復路１２ｂ、上流側暖房用温液循環往路１３ａ、及び下流側暖房用温液循環往路１３ｂを流通する。
【０１１９】
タンク制御部７２は、上記制御を開始してからの時間をタイマ（図示せず）により計時し、所定時間（例えば、１０分）経過した否かを判定する（ＳＴＥＰ２）。１０分経過している場合（ＳＴＥＰ２で「ＹＥＳ」）、タンク制御部７２は、温度センサ５４での検出温度から所定温度（例えば、５°Ｃ）減算した温度（以下、減算温度と称する）を算出し、温度センサ２６での検出温度が、上記減算温度以上であるか否かを判定する（ＳＴＥＰ３）。
【０１２０】
温度センサ２６での検出温度が、上記減算温度以上である場合（ＳＴＥＰ３で「ＹＥＳ」）、タンク制御部７２は、その状態の継続時間をタイマにより計時し、所定時間（例えば、３分）継続しているか否かを判定する（ＳＴＥＰ４）。
【０１２１】
温度センサ２６での検出温度が上記減算温度以上である状態が３分継続している場合（ＳＴＥＰ４で「ＹＥＳ」）、タンク制御部７２は、貯留タンクユニット２と燃焼式熱源機ユニット４とが正常に接続されていると判定し（ＳＴＥＰ５）、その旨をリモコンに表示させる（ＳＴＥＰ６）。なお、所定時間の継続を判定せず（ＳＴＥＰ４を行わず）に、ＳＴＥＰ３で「ＹＥＳ」となった場合に、ＳＴＥＰ５、ＳＴＥＰ６を行うようにしてもよい。本実施形態では、タンク制御部７２が貯留タンクユニット２と燃焼式熱源機ユニット４との正常接続を判定する構成と、正常接続状態である場合にその旨を表示するリモコンとにより、本発明の正常接続判定手段が構成される。
【０１２２】
一方、タンク制御部７２は、温度センサ２６での検出温度が、上記減算温度以上でない場合（ＳＴＥＰ３で「ＮＯ」）、その状態の継続時間をタイマにより計時し、所定時間（例えば、３分）継続しているか否かを判定する（ＳＴＥＰ７）。
【０１２３】
温度センサ２６での検出温度が上記減算温度以上でない時間が３分継続している場合（ＳＴＥＰ７で「ＹＥＳ」）、タンク制御部７２は、貯留タンクユニット２と燃焼式熱源機ユニット４とが誤接続されていると判定し（ＳＴＥＰ８）、その旨をリモコンに表示させる（ＳＴＥＰ９）。なお、所定時間の継続を判定せず（ＳＴＥＰ７を行わず）に、ＳＴＥＰ３で「ＮＯ」となった場合に、ＳＴＥＰ８、ＳＴＥＰ９を行うようにしてもよい。
【０１２４】
また、タンク制御部７２は、温度センサ２６での検出温度が、上記減算温度以上である時間が３分継続していない場合（ＳＴＥＰ４で「ＮＯ」）や、温度センサ２６での検出温度が上記減算温度以上でない時間が３分継続していない場合（ＳＴＥＰ７で「ＮＯ」）、再びＳＴＥＰ３を行う。
【０１２５】
本実施形態では、燃焼式熱源機４１により温液を７０°Ｃに加熱した場合、温度センサ５４での検出温度は７０°Ｃとなる。貯留タンクユニット２と燃焼式熱源機ユニット４とが正常に接続されている場合には、７０°Ｃに加熱された温液は、バイパス流路４２Ｂ、暖房用温液流路４２、低温側暖房用温液流路４２Ｌ、凍結防止用流路６１、蓄熱用温液循環往路１２ａ、凝縮機３５、及び蓄熱用温液循環復路１２ｂを介して上流側暖房用温液循環往路１３ａに送られ、温度センサ２６で温度が検出される。したがって、温度センサ２６で温度が検出されるまでに放熱されて温度が下がったとしても３°程度であり、温度センサ２６での検出温度が、上記減算温度（温度センサ５４での検出温度−５°Ｃ）以上となる（ＳＴＥＰ３で「ＹＥＳ」）。この状態が３分継続している場合（ＳＴＥＰ４で「ＹＥＳ」）、タンク制御部７２は、貯留タンクユニット２と燃焼式熱源機ユニット４とが正常に接続されていると判定し、その旨をリモコンに表示させる。
【０１２６】
これに対して、図３に示すように、貯留タンクユニット２と燃焼式熱源機ユニット４との配管が誤接続され、且つ低温側暖房端末機５Ｌ及び高温側暖房端末機５Ｈが駆動停止状態である場合には、燃焼式熱源機４１により７０°に加熱された温液は、上流側暖房用温液循環往路１３ａの温度センサ２６が配置された部分には流れない。このため、温度センサ２６での検出温度は、上記減算温度（温度センサ５４での検出温度−５°Ｃ）以下となる（ＳＴＥＰ３で「ＮＯ」）。この状態が３分継続している場合（ＳＴＥＰ７で「ＹＥＳ」）、タンク制御部７２は、貯留タンクユニット２と燃焼式熱源機ユニット４とが誤接続されていると判定し、その旨をリモコンに表示させる。
【０１２７】
［第２実施形態］
図４に示す第２実施形態では、設置作業後に、貯留タンクユニット２とヒートポンプユニット３とが正常に接続されているか否かを判定する正常接続判定を行う。なお、上記実施形態と同様の構成部材には同一の符号を付し、その詳細な説明を省略する。
【０１２８】
正常接続判定では、先ず試運転を行う（ＳＴＥＰ１１）。この試運転では、暖房設定温度は例えば７０°Ｃに設定され、燃焼制御部７４は、温液を７０°Ｃにするように燃焼式熱源機４１を駆動し、暖房循環ポンプ５１をオンし、タンク制御部７２は、分配弁２３をバイパスＯＦＦ状態（バイパス流路２４側の出口ポートが全閉、貯留タンク１１側の出口ポートが全開）とする制御を行う。また、開閉弁制御部６３は、開閉弁６２を開状態にする制御を行い、さらに、低温側暖房端末機５Ｌ及び高温側暖房端末機５Ｈを駆動停止状態とする制御を行う。なお、低温側暖房端末機５Ｌ及び高温側暖房端末機５Ｈを駆動した状態としてもよい。
【０１２９】
また、試運転開始時に、タンク制御部７２は、温度センサ１９，２０での検出温度（以下、試運転開始時検出温度と称する）をメモリ（図示せず）に記憶する（ＳＴＥＰ１２）。
【０１３０】
上記試運転により、燃焼式熱源機４１により７０°に加熱された温液が、高温側暖房用温液流路４２Ｈ、バイパス流路４２Ｂ、暖房用温液流路４２、低温側暖房用温液流路４２Ｌ、凍結防止用流路６１、蓄熱用温液循環往路１２ａ、蓄熱用温液循環復路１２ｂ、上流側暖房用温液循環往路１３ａ、及び下流側暖房用温液循環往路１３ｂを流通する。
【０１３１】
ポンプ制御部７３は、温度センサ１９での試運転開始時検出温度に所定温度（例えば、１０°Ｃ）を加算した温度（以下、加算温度と称する）を算出し、温度センサ１９での現在の検出温度が、温度センサ１９での加算温度以上であるか否かを判定する（ＳＴＥＰ１３）。
【０１３２】
温度センサ１９での現在の検出温度が、上記加算温度以上である場合（ＳＴＥＰ１３で「ＹＥＳ」）、ポンプ制御部７３は、貯留タンクユニット２とヒートポンプユニット３とが正常に接続されていると判定し（ＳＴＥＰ１４）、その旨をリモコンに表示させる（ＳＴＥＰ１５）。本実施形態では、ポンプ制御部７３が貯留タンクユニット２とヒートポンプユニット３との正常接続を判定する構成と、正常接続状態である場合にその旨を表示するリモコンとにより、本発明の正常接続判定手段が構成される。
【０１３３】
一方、ポンプ制御部７３は、温度センサ１９での検出温度が、上記加算温度以上でない場合（ＳＴＥＰ１３で「ＮＯ」）、温度センサ２０での試運転開始時検出温度に所定温度（例えば、１０°Ｃ）を加算した温度（以下、加算温度と称する）を算出し、温度センサ２０での現在の検出温度が、温度センサ２０での加算温度以上であるか否かを判定する（ＳＴＥＰ１６）。
【０１３４】
温度センサ２０での検出温度が、上記加算温度以上である場合（ＳＴＥＰ１６で「ＹＥＳ」）、ポンプ制御部７３は、貯留タンクユニット２とヒートポンプユニット３とが誤接続されていると判定し（ＳＴＥＰ１７）、その旨をリモコンに表示させる（ＳＴＥＰ１８）。
【０１３５】
また、ポンプ制御部７３は、温度センサ２０での検出温度が、上記加算温度以上でない場合（ＳＴＥＰ１６で「ＮＯ」）、再びＳＴＥＰ１３を行う。
【０１３６】
本実施形態では、貯留タンクユニット２とヒートポンプユニット３とが正常に接続されている場合（図１参照）、燃焼式熱源機４１により７０°に加熱されて凍結防止用流路６１を流下する温液は、蓄熱用温液循環往路１２ａに送られ、温度センサ１９で温度検出される。そして、蓄熱用温液循環往路１２ａに送られた温液は、凝縮機３５を介して蓄熱用温液循環復路１２ｂに送られ、温度センサ２０で温度検出される。すなわち、温度センサ１９での検出温度は、温度センサ２０での検出温度よりも早く上昇する（ＳＴＥＰ１３で「ＹＥＳ」）。この場合、ポンプ制御部７３は、貯留タンクユニット２とヒートポンプユニット３とが正常に接続されていると判定し、その旨をリモコンに表示させる。
【０１３７】
これに対して、図５に示すように、貯留タンクユニット２とヒートポンプユニット３との配管が誤接続されている場合には、燃焼式熱源機４１により７０°に加熱されて凍結防止用流路６１を流下する温液は、蓄熱用温液循環往路１２ａに送られ、温度センサ２０で温度検出される。そして、蓄熱用温液循環往路１２ａに送られた温液は、凝縮機３５を介して蓄熱用温液循環復路１２ｂに送られ、温度センサ１９で温度検出される。このため、温度センサ２０での検出温度は、温度センサ１９での検出温度よりも早く上昇する（ＳＴＥＰ１６で「ＹＥＳ」）。この場合、ポンプ制御部７３は、貯留タンクユニット２とヒートポンプユニット３とが誤接続されていると判定し、その旨をリモコンに表示させる。
【０１３８】
上記実施形態では、通常電力により燃焼式熱源機を駆動しているが、燃焼式熱源機に代えて通常電力により駆動する電気式熱源機を設けた暖房装置にも本発明は実施可能である。
【符号の説明】
【０１３９】
１…暖房装置、２…貯留タンクユニット、３…ヒートポンプユニット、４…燃焼式熱源機ユニット、５Ｈ，５Ｌ…暖房端末機、１１…貯留タンク、１２ａ…蓄熱用温液循環往路、１２ｂ…蓄熱用温液循環復路１２ｂ、１３ａ…上流側暖房用温液循環往路、１３ｂ…下流側暖房用温液循環往路、１３ｃ…上流側暖房用温液循環復路、１３ｄ…下流側暖房用温液循環復路、１４ａ〜１４ｃ，１６，１７，１９，２０，２２，２５〜２７…温度センサ、２３…分配弁、２４…バイパス流路、３１…ヒートポンプ、５１…暖房循環ポンプ、７２…タンク制御部
【図１】
2017190906.tif 000003
【図２】
2017190906.tif 000004
【図３】
2017190906.tif 000005
【図４】
2017190906.tif 000006
【図５】
2017190906.tif 000007